(57)【要約】【課題】      マウスの操作による発汗を抑え、効率よく作業を行うことができるマウスパッドを提供する。【解決手段】  リストレスト２内部に設けられた送風ファン３により生じた風Ｗは、リストレスト３のパッド面１側に設けられた排気口２１から排気（送風）される。排気口２１からの風Ｗは、マウス１０とそれを掴む手のひらとの間を後ろから（手首側から）通気する。このように、リストレスト２に内蔵された送風ファン３によって生じた風Ｗがマウス１０と手のひらとの間を通気することにより、マウス１０を掴む手のひらの発汗を抑制し、汗による手の滑りやマウス１０の摺動性の悪化を抑えることができる。【選択図】    図１
2006048264.tif 000002
【特許請求の範囲】
【請求項１】
パッド面の一端部にリストレストが設けられたマウスパッドであって、前記リストレストは、当該リストレスト内部に設けられた送風ファンと、当該送風ファンにより生じた風を前記バッド面に向けて送風すべく設けられた排気口とを具備することを特徴とするマウスパッド。
【請求項２】
前記リストレストは、当該リストレストの上部に体が触れたことを感知して前記送風ファンを駆動させる起動装置を具備することを特徴とする請求項１記載のマウスパッド。
【請求項３】
コンピュータのＵＳＢポートに接続可能に構成され、前記コンピュータより前記送風ファンの駆動電力を得ることを特徴とする請求項１または２記載のマウスパッド。
【請求項４】
ＵＳＢ機器を接続可能なＵＳＢポートを具備することを特徴とする請求項１〜３のいずれかに記載のマウスパッド。
【発明の詳細な説明】
【技術分野】
【０００１】
本発明は、マウスパッドに関し、特に、リストレストが設けられたマウスパッドに関する。
【背景技術】
【０００２】
インターネット等の急速な発展により、パソコン等のコンビュータヘの入力機器としてマウスがよく用いられている。また、マウスは、ＣＡＤ等の図形描画においても欠かせない入力機器となっている。このようなマウス使用時の疲労を軽減するため、マウスパッドのパッド面（マウス接触面）の一端部に手首を休ませる（固定する）べく、パッド面より高い部分を設けることによって、リストレストが形成されたマウスパッドが公知である（例えば、特許文献１および２参照。）。
【特許文献１】特開平１０−９１３３７号公報
【特許文献２】特開平１１−３４５０８１号公報
【発明の開示】
【発明が解決しようとする課題】
【０００３】
しかし、このような従来のマウスパッドにおいては、以下のような問題があった。すなわち、マウスを長時間使用していると、マウスを掴む手のひらに汗をかく場合がある。手のひらに汗をかくと、掴んでいるマウスが滑りやすくなると共に、この汗がマウスの摺動面に付着した際にはマウスの動きが悪くなる。つまり操作牲を著しく損ねてしまうという問題があった。特に図形描画を行うユーザは、長時間マウスを操作する必要があるので、汗をかくたびにマウスおよび手のひらをタオル等で拭く必要があり、集中力を切らしてしまう場合も生じ、効率のよい作業が行えない場合が生じ得る。
【０００４】
木発明は、かかる従来技術の問題点を解決するべくなされたもので、マウスの操作による発汗を抑え、効率よく作業を行うことができるマウスパッドを提供することを目的とする。
【課題を解決するための手段】
【０００５】
本発明に係るマウスパッドは、パッド面の一端部にリストレストが設けられたマウスパッドであって、前記リストレストは、当該リストレスト内部に設けられた送風ファンと、当該送風ファンにより生じた風を前記パッド面に向けて送風すべく設けられた排気口とを具備するものである。
【０００６】
上記構成のマウスパッドによれば、ユーザがリストレストに手首を置いた状態でマウスを掴み、パッド面上のマウスを操作する。一方、リストレスト内部に設けられた送風ファンにより生じた風は、リストレストのパッド面側に設けられた排気口から排気（送風）される。排気口からの風は、マウスとそれを掴む手のひらとの間を後ろから（手首側から）通気する。
【０００７】
このように、リストレストに内蔵された送風ファンによって生じた風がマウスと手のひらとの間を通気することにより、マウスを掴む手のひらの発汗を抑制し、汗による手の滑りやマウスの摺動性の悪化を抑えることができる。したがって、マウスの長時間操作による発汗を抑え、効率よく作業を行うことができる。
【０００８】
好ましくは、前記リストレストは、当該リストレストの上部に体が触れたことを感知して前記送風ファンを駆動させる起動装置を具備するように構成される。
【０００９】
この場合、ユーザがマウスパッドを用いる際に、リストレストに体（手首または腕等）を乗せると、起動装置がこれを感知し、送風ファンを駆動させる。したがって、マウスパッドを使用する際にユーザがわざわざ電源を入れる作業を行う必要がなく、より使い易くすることができる。
【００１０】
好ましくは、コンピュータのＵＳＢポートに接続可能に構成され、前記コンピュータより前記送風ファンの駆動電力を得るように構成される。
【００１１】
この場合、送風ファンを駆動する電源がコンピュータのＵＳＢケーブルを介して供給される（いわゆるバスパワー方式で電力供給される）。したがって、コンピュータ回り（コンピュータ本体および周辺機器）の電力供給源をコンピュータ本体に一本化することができ、電力供給に関する配線を集約することができる。
【００１２】
好ましくは、ＵＳＢ機器を接続可能なＵＳＢポートを具備するように構成される。
【００１３】
この場合、例えばマウス等のＵＳＢ対応の周辺機器等をマウスパッドのＵＳＢポートに接続可能となる。したがって、マウスパッドをＵＳＢハブとして機能させることができ、ＵＳＢに関する配線を集約することができる。
【発明の効果】
【００１４】
本発明に係るマウスパッドによれば、リストレストに内蔵された送風ファンにより、マウスと手のひらとの間を通気することにより、マウスを掴む手のひらの発汗を抑制し、汗による手の滑りやマウスの摺動性の悪化を抑えることができる。したがって、マウスの長時間操作による発汗を抑え、効率よく作業を行うことができる。
【発明を実施するための最良の形態】
【００１５】
以下、添付図面を参照しつつ、本発明を実施するための最良の形態について説明する。図１は本発明の一実施形態に係るマウスパッドを示す図である。図１（ａ）はマウスパンドを上から見た部分透視図であり、図１（ｂ）は図１（ａ）のＡ−Ａ断面図である。
【００１６】
本発明に係るマウスパッドは、図１に示すように、パッド面１の一端部１ａにリストレスト２が設けられたマウスパッドであって、前記リストレスト２は、当該リストレスト２内部に設けられた送風ファン３と、当該送風ファン３により生じた風Ｗを前記パッド面１に向けて送風すべく設けられた排気口２１とを具備するものである。なお、送風ファン３は、特に限定されるものではないが、ＣＰＵファン等の送風ファン３が適宜用いられる。本実施形態における送風ファン３は、下方（または側方）から空気を吸い込み上方へ排気する送風ファン３が取り付けられている。
【００１７】
上記構成のマウスパッドによれば、ユーザがリストレスト２に手首を置いた状態でマウス１０を掴み、パッド面１上のマウス１０を操作する。一方、リストレスト２内部に設けられた送風ファン３により生じた風Ｗは、リストレスト３のパッド面１側（側面）に設けられた排気口２１から排気（送風）される。排気口２１からの風Ｗは、マウス１０とそれを掴む手のひらとの間を後ろから（手首側から）通気する。なお、本実施形態においては、リストレスト２の排気口２１の反対側（側面）に吸気口２２が設けられ、排気口２１から効率よく風Ｗを発生させることとしている。ここで、排気口２１および吸気口２２は、排気□２１が吸気□２２より上方に開口されるように構成されている。かかる構成により、上方へ風を生じさせる送風ファン３の通気効率をより高めることができると共に、マウス１０とそれを掴む手のひらとの間に確実に且つ集中して風Ｗを送ることができる。
【００１８】
このように、リストレスト２に内蔵された送風ファン３により、マウス１０と手のひらとの間を通気することにより、マウス１０を掴む手のひらの発汗を抑制し、汗による手の滑りを抑えることができる。したがって、マウス１０の長時間操作による発汗を抑え、効率よく作業を行うことができる。
【００１９】
本実施形態において、前記リストレスト２は、当該リストレスト２の上部に体（手首、腕等）が触れたことを感知して前記送風ファン３を駆動させる起動装置６を具備するように構成される。
【００２０】
この場合、ユーザがマウスパッドを用いる際に、リストレスト２に体（手首または腕等）を乗せると、起動装置６がこれを感知し、送風ファン３を駆動させる。本実施形態においては、リストレスト２上に接触センサ(図示せず)が設けられており、当該接触センサに触れることによってＵＳＢハブ４（後述）を介したパソコンからの電力供給が開始される。したがって、マウスパッドを使用する際にユーザがわざわざ電源を入れる作業を行う必要がなく、より使い易くすることができる。
【００２１】
なお、本実施形態においては、接触センサにより起動装置６が構成される場合について例示したが、リストレスト２上に押しボタンスイッチを設けることにより起動装置６を構成するようにしてもよい。また、接触センサおよび押しボタンスイッチのいずれの場合であっても、手首等を離すと送風ファン３の駆動を停止すべく構成してもよい。この場合、無駄な電力の消費を抑制できると共に、電源の切り忘れなどによって送風ファン３を駆動するモータ(図示せず)が焼損するのを防止することができる。また、一度起動した後は、その後、手首等が離れたか否かに関わらず、所定時間、送風ファン３の駆動を継続することとしてもよい。さらに、リストレスト２の側面等に別途駆動スイッチを設けるようにしてもよい。この場合、起動装置６の制御（接触感知の有無）に関わらず、強制的に作動させる（または接触を感知しても作動させない）ようにすることが可能となる。
【００２２】
なお、起動装置６を用いずに、駆動スイッチのみ用いる構成としてもよいし、ＵＳＢハブ（後述）からのＵＳＢケーブルをパソコン等のコンピュータのＵＳＢポートに差し込むことで常時送風ファン３を駆動させる構成としてもよい。
【００２３】
本実施形態において、マウスパッドのリストレスト２には、ＵＳＢハブ４が内蔵され、コンピュータのＵＳＢポート（図示せず）に接続可能に構成され、前記コンピュータより前記送風ファン３の駆動電力を得るように構成される一方、マウス１０等、他のＵＳＢ機器を接続可能に構成される。
【００２４】
この場合、送風ファン３を駆動する電源がコンピュータのＵＳＢケーブルを介して供給される（いわゆるバスパワー方式で電力供給される）。したがって、コンピュータ回り（コンピュータ本体および周辺機器）の電力供給源をコンピュータ本体に一本化することができ、電源供給に関する配線を集約することができる。
【００２５】
また、マウス１０等のＵＳＢ対応の周辺機器等をマウスパッドのＵＳＢハブ４のＵＳＢポートに接続可能となるため、ＵＳＢに関する配線を集約することができる。
【００２６】
なお、このようなＵＳＢハブ４により、他のＵＳＢ機器（マウス１０等）を接続する場合には、図１（ａ）に示すように、送風ファン３への電力線には、ノイズフィルタ５を介すこととしてもよい。これにより、送風ファン３で生じるノイズをカットし、他のＵＳＢ機器の安定動作をより確実にすることができる。
【００２７】
本実施形態においては、送風ファン３の駆動電源としてＵＳＢケーブルを介して接続したコンピュータから電力供給を受けるバスパワー方式を例にとって説明したが、ＡＣアダプタ等により交流電源から単独供給されることとしてもよいし、リストレスト２に電池を格納可能に構成し、その電力で送風ファン３を駆動することとしてもよい。また、これらの構成を適宜組み合わせて（選択可能に構成して）用いてもよい。
【図面の簡単な説明】
【００２８】
【図１】本発明の一実施形態に係るマウスパッドを示す図である。
【符号の説明】
【００２９】
１  パッド面
１ａ  一端部
２  リストレスト
２１  排気口
３  送風ファン
４  ＵＳＢハブ
【図１】
2006048264.tif 000003